(57)【要約】【課題】  ラック内部にサーバー冷却水の配管機構を備えたサーバーラックにおいて、地震などの揺れに伴う冷却水の揺動を抑え、ラック本体の耐震強度を高める。【解決手段】  縦長のラック本体２の内部に配管機構４を設け、冷却水Ｃを多数のサーバー３に循環させる。配管機構４の冷却水タンク５、給水ヘッダー６および排水ヘッダー９は、サーバー３の外部で冷却水Ｃを流通可能に貯留する貯水部材として機能する。冷却水タンク５をラック本体２の下部に設置し、給水ヘッダー６をラック本体２の第１支柱１０に内蔵し、排水ヘッダー９を第２支柱１１に内蔵する。給排水ヘッダー６，９および冷却水タンク５の内側に複数の水流規制片１２，１３を配設し、ラック本体２の揺れに伴う冷却水Ｃの揺動を規制する。【選択図】        図１
2012099637.tif 000002
【特許請求の範囲】
【請求項１】
ラック本体の内部に複数のサーバーを格納するとともに、サーバーに冷却水を循環させる配管機構を設置したサーバーラックにおいて、
前記配管機構がサーバーの外部で冷却水を流通可能に貯留する貯水部材を備え、貯水部材の内側にラック本体の揺れに伴う冷却水の揺動を規制する水流規制片を設けたことを特徴とするサーバーラック。
【請求項２】
前記貯水部材がラック本体の第１支柱に内蔵した給水ヘッダーと、第２支柱に内蔵した排水ヘッダーとを含み、給水および排水ヘッダーの内側に前記水流規制片を設けた請求項１記載のサーバーラック。
【請求項３】
前記貯水部材が給水ヘッダーと排水ヘッダーとの間で冷却水を一時的に貯留するタンクを含み、タンクの内側に前記水流規制片を設けた請求項１又は２記載のサーバーラック。
【請求項４】
前記水流規制片を楔形に形成し、水流規制片の基端面を貯水部材の内壁面に固着した請求項１〜３の何れか一項に記載のサーバーラック。
【発明の詳細な説明】
【技術分野】
【０００１】
本発明は、ラック本体の内部にサーバー冷却水の配管機構を装備したサーバーラックに関する。
【背景技術】
【０００２】
従来、高い冷却能力を得るために水冷方式の冷却装置を内蔵したサーバーラックが知られている。例えば、図２に示すように、特許文献１のサーバーラック５１では、縦長のラック本体５２の内部に複数のサーバー５３が格納されるとともに、サーバー冷却装置５４とその配管機構５５が設置されている。配管機構５５は給水ヘッダー５６と排水ヘッダー５７を含み、それぞれがラック本体５２の支柱５８内に配管されている。
【先行技術文献】
【特許文献】
【０００３】
【特許文献１】特開２００２−３７４０８６号公報
【発明の概要】
【発明が解決しようとする課題】
【０００４】
従来のサーバーラック５１によると、給排水ヘッダー５６，５７を支柱５８に内蔵しているので、冷却用配管に妨げられることなく、ＬＡＮ配線を含む電線類をラック本体５２内に整然と配線できる利点がある。しかし、給排水ヘッダー５６，５７は、多数のサーバー５３に冷却水を供給できるように、比較的大きな貯水容積を備えているため、地震などでサーバーラック５１が揺れた場合に、冷却水の揺動によって支柱５８が長時間複雑に揺れ、ラック本体５２の耐震強度に悪影響を及ぼすという問題点があった。
【０００５】
本発明は、上記問題点に着目してなされたものであり、その目的は、地震などの揺れに伴う冷却水の揺動を抑え、ラック本体の耐震強度を高めることができるサーバーラックを提供することにある。
【課題を解決するための手段】
【０００６】
上記課題を解決するために、本発明は、ラック本体の内部に複数のサーバーを格納するとともに、サーバーに冷却水を循環させる配管機構を設置したサーバーラックにおいて、次のような特徴的手段を提供する。
（１）配管機構がサーバーの外部で冷却水を流通可能に貯留する貯水部材を備え、貯水部材の内側にラック本体の揺れに伴う冷却水の揺動を規制する水流規制片を設けたことを特徴とするサーバーラック。
【０００７】
（２）貯水部材がラック本体の第１支柱に内蔵した給水ヘッダーと、第２支柱に内蔵した排水ヘッダーとを含み、給水および排水ヘッダーの内側に水流規制片を設けたことを特徴とするサーバーラック。
【０００８】
（３）貯水部材が給水ヘッダーと排水ヘッダーとの間で冷却水を一時的に貯留するタンクを含み、タンクの内側に水流規制片を設けたことを特徴とするサーバーラック。
【０００９】
（４）水流規制片を楔形に形成し、水流規制片の基端面を貯水部材の内壁面に固着したことを特徴とするサーバーラック。
【発明の効果】
【００１０】
本発明のサーバーラックによれば、貯水部材の内側に設けた水流規制片が地震などの揺れに伴う冷却水の揺動を抑えるので、ラック本体の耐震強度を高めることができるという優れた効果を奏する。
【図面の簡単な説明】
【００１１】
【図１】本発明の一実施形態を示すサーバーラックの立面図である。
【図２】従来のサーバーラックを示す斜視図である。
【発明を実施するための形態】
【００１２】
以下、本発明の実施形態を図面に基づいて説明する。図１に示すサーバーラック１では、縦長のラック本体２の内部に、多数のサーバー３が格納されるとともに、各サーバー３に冷却水Ｃを循環させる配管機構４が設置されている。配管機構４は冷却水タンク５、給水ヘッダー６、分配管７、回収管８、排水ヘッダー９、循環ポンプ（図示略）を備えている。そして、タンク５、給水ヘッダー６および排水ヘッダー９が、サーバー３の外部で冷却水Ｃを流通可能に貯留する貯水部材として機能するようになっている。
【００１３】
冷却水タンク５は、ラック本体２の下部に設置され、給水ヘッダー６と排水ヘッダー９との間で冷却水Ｃを一時的に貯留する。給水ヘッダー６は、ラック本体２の第１支柱１０に内蔵され、排水ヘッダー９がラック本体２の第２支柱１１に内蔵されている。なお、第１支柱１０および第２支柱１１は、例えば、ラック本体２の４本の支柱のうち背面側の２本を使用できる。また、冷却水タンク５は、ラック本体２の上部に設置し、重力を利用して冷却水Ｃを各サーバー３に循環させることも可能である。
【００１４】
給水ヘッダー６および排水ヘッダー９は、支柱１０，１１の内部に直接形成することもでき、支柱１０，１１の内側に挿通したパイプによって形成することもできる。給排水ヘッダー６，９の内側には、ラック本体２の揺れに伴う冷却水Ｃの揺動を規制する複数の水流規制片１２が配設されている。冷却水タンク５の内側にも、同様に機能する水流規制片１３が配設されている。水流規制片１２，１３は楔形に形成され、基端面１２ａ，１３ａが給排水ヘッダー６，９と冷却水タンク５の内壁面に固着されている。冷却水タンク５の水流規制片１３には、冷却水Ｃを流通しやすくするための貫通孔１４が形成されている。
【００１５】
上記構成のサーバーラック１によれば、比較的多量の冷却水Ｃを貯留するタンク５、給水ヘッダー６、排水ヘッダー９に水流規制片１２，１３が配設されているので、地震などの揺れに伴う冷却水Ｃの揺動を最小限に抑えかつ早期に減衰させ、ラック本体２の耐震強度を高めることができる。また、水流規制片１２，１３を楔形に形成し、その基端面１２ａ，１３ａをヘッダー６，９およびタンク５の内壁面に固着したので、支柱１０，１１やタンク５に充分な強度を与え、必要に応じ各部材の板厚を薄くすることも可能となる。
【００１６】
なお、本発明は上記実施形態に限定されるものではなく、水流規制片の形状や個数を変更したり、ラック上部に設置した冷却水タンクに水流規制片を設けたりするなど、発明の趣旨を逸脱しない範囲で、各部の形状並びに構成を適宜に変更して実施することも可能である。
【符号の説明】
【００１７】
１    サーバーラック
２    ラック本体
３    サーバー
４    配管機構
５    冷却水タンク
６    給水ヘッダー
９    排水ヘッダー
１０    第１支柱
１１    第２支柱
１２    水流規制片
１３    水流規制片
Ｃ    冷却水
【図１】
2012099637.tif 000003
【図２】
2012099637.tif 000004